(57)【特許請求の範囲】
【請求項１】
通過する空気を清浄する集塵手段と、該集塵手段によって清浄された空気を室内へ吹き出す送風機と、室内の空気の清浄状態を検出する状態検出手段と、該状態検出手段の出力と複数の設定値とを比較する比較手段と、該比較手段の比較結果に基づいて前記送風機の回転数を複数の段階に変化させる送風量制御手段を有する本体コントローラとを備えた空気清浄装置において、
前記設定値は、複数の段階に設定された前記送風機の回転数を変化させるときの値であり、
前記複数の設定値を変更するための設定値変更手段を有する外部コントローラを備え、前記本体コントローラは前記外部コントローラを接続するための接続手段と、前記設定値変更手段で変更された設定値を記憶する不揮発性記憶手段とを備え、
前記比較手段は、前記不揮発性記憶手段に記憶された前記複数の設定値と前記状態検出手段の出力とを比較することを特徴とする空気清浄装置。
【請求項２】
通過する空気を清浄する集塵手段と、該集塵手段によって清浄された空気を室内へ吹き出す送風機と、室内の空気の清浄状態を検出する状態検出手段と、室内の空気の清浄状態を表示する表示手段と、前記状態検出手段の出力と複数の設定値とを比較する比較手段と、該比較手段の比較結果に基づいて前記表示手段の表示を複数の段階に変化させる表示制御手段を有する本体コントローラとを備えた空気清浄装置において、
前記設定値は、複数の段階に設定された前記表示手段の表示を変化させるときの値であり、
前記複数の設定値を変更するための設定値変更手段が設けられた外部コントローラを備え、前記本体コントローラは前記外部コントローラを接続するための接続手段と、前記設定値変更手段で変更された設定値を記憶する不揮発性記憶手段とを備え、
前記比較手段は、前記不揮発性記憶手段に記憶された前記複数の設定値と前記状態検出手段の出力とを比較することを特徴とする空気清浄装置。
【請求項３】
前記設定値変更手段は、空気清浄装置の複数の設置環境に関する環境情報を選択する情報選択手段と、該情報選択手段で選択される環境情報に対応した前記設定値が記憶された第２記憶手段と、前記情報選択手段により選択された環境情報に対応する前記第２記憶手段に記憶された設定値を表示する設定値表示手段とを備え、
前記情報選択手段により選択された環境情報に対応する前記第２記憶手段に記憶された設定値を、前記接続手段を介して前記不揮発性記憶手段に記憶させることを特徴とする請求項１又は２に記載の空気清浄装置。
【請求項４】
前記設定値変更手段は、前記設定値表示手段に表示される設定値を修正する設定値修正手段を備え、該設定値修正手段により修正された設定値を前記接続手段を介して前記不揮発性記憶手段に記憶させることを特徴とする請求項３に記載の空気清浄装置。
【請求項５】
前記設定値変更手段は、前記設定値修正手段により修正された設定値を前記情報選択手段により選択された環境情報に対応する前記第２記憶手段に記憶させるか否かを選択する保存選択手段を備えたことを特徴とする請求項４に記載の空気清浄装置。
【発明の詳細な説明】
【０００１】
【発明の属する技術の分野】
本発明は、空気清浄装置に関する。
【０００２】
【従来の技術】
一般に、空気清浄装置は、集塵フィルタ等の集塵装置と送風機とを備えており、送風機の作動により室内の空気を吸い込んで集塵装置を通過させ、清浄した空気を室内に吹き出している。また、このような空気清浄装置では、通過する空気中の埃等の量を検出する埃センサを備え、この埃センサの検出値と所定の複数の設定値とを比較し、埃センサの検出値に応じて送風機の回転数を自動的に変更するものが知られている。
【０００３】
従来の空気清浄装置においては、埃センサの出力と比較される設定値は予め定められた固定の値であるため、使用する部屋の環境の違い等に対応することができない。そこで、埃センサの感度を高低２段階に変化させ、複数の設定値を全体的に高くしたり低くしたりできるように、切換スイッチを設けたものが知られている。これによれば、埃の量に対する送風機の回転数の変化のタイミングを２段階に切り換えることができるため、ある程度の部屋の環境に対応した運転を行うことができる。
【０００４】
ところが、発明者の試験等によれば、上記のように切換スイッチを設けたものにおいても、使用者の不満を解消できない場合が多いことを知見した。つまり、部屋の大きさが同じでも、喫煙の本数、人の出入りの有無、埃の種類、あるいは埃に対する使用者の感覚等がそれぞれ異なり、単に、前記切換スイッチにより埃に対する感度の高低を切り換えるだけでは、使用者の快適性を満足させることができない。
【０００５】
そこで、それぞれの環境に対応する最適な複数の設定値の組合せを記憶手段に記憶すると共に、環境情報を選択する選択手段を設け、選択された環境情報に対応する設定値を記憶手段から読み出して送風機の制御を行うようにすることも考えられる。
【０００６】
しかし、このような構成とすると、環境情報の種類が非常に多くなるため、記憶しなければならない設定値が多くなり、それを実施しようとすると選択手段及び記憶手段が大型化し、製品コストの上昇となる。また、環境情報に対応する複数の設定値の組合せを予め記憶しておいても、そのデータはあくまで試験等により得られる基本データであり、使用者の感覚まで考慮することができず、使用者の不満に対応できない場合が生じる。
【０００７】
ところで、空気清浄装置には室内の埃の状態を示す表示手段が設けられている場合があり、送風機の回転数を一定に保って運転するときに、空気が汚れた状態から清浄された状態を示す表示として、順に赤、橙及び緑に色が変化するようにするものがある。
【０００８】
ところが、この表示手段の表示についても、空気清浄装置が設置される環境や使用者の埃等に対する感じ方如何によっては、使用者の感覚とずれが生じることがあり、このようなときは、空気清浄装置が正しく作動していない等の不安を使用者に生じさせるおそれがある。
【０００９】
【発明が解決しようとする課題】
本発明は、空気清浄装置の改良を目的とし、さらに詳しくは前記不都合を解消するために、装置を大型化することなく、設置される環境がどのような場合であっても確実に使用者の快適性を向上させるように調整を行うことができる空気清浄装置を提供することを目的とする。
【００１０】
【課題を解決するための手段】
前記目的を達成するために、本発明の第１の態様の空気清浄装置は、通過する空気を清浄する集塵手段と、該集塵手段によって清浄された空気を室内へ吹き出す送風機と、室内の空気の清浄状態を検出する状態検出手段と、該状態検出手段の出力と複数の設定値とを比較する比較手段と、該比較手段の比較結果に基づいて前記送風機の回転数を複数の段階に変化させる送風量制御手段を有する本体コントローラとを備えた空気清浄装置において、前記設定値は、複数の段階に設定された前記送風機の回転数を変化させるときの値であり、前記複数の設定値を変更するための設定値変更手段を有する外部コントローラを備え、前記本体コントローラは前記外部コントローラを接続するための接続手段と、前記設定値変更手段で変更された設定値を記憶する不揮発性記憶手段とを備え、前記比較手段は、前記不揮発性記憶手段に記憶された前記複数の設定値と前記状態検出手段の出力とを比較することを特徴とする。
【００１１】
本発明の第１の態様の空気清浄装置によれば、前記比較手段により前記状態検出手段の出力と比較される複数の設定値が本体コントローラの不揮発性記憶手段に記憶されており、当該設定値は外部コントローラの設定値変更手段により変更することができる。このため、本体コントローラに数多くのデータを記憶させる必要がなく、また、設定値を変更する手段を設ける必要がない。従って、本体コントローラの記憶手段等の大型化を防止することができる。
【００１２】
また、本発明の空気清浄装置では、送風量制御手段により前記比較結果に基づいて送風機の回転数が制御されるため、外部コントローラにより当該設定値を変更することによって空気清浄装置の運転状態を変更して制御することができる。従って、空気清浄装置が設置される環境の違いによって、使用者が空気清浄装置の運転状態に違和感を覚えて苦情を訴える場合があっても、外部コントローラにより使用者の要望に合わせて空気清浄装置の運転状態を変更できるので、確実に使用者の快適性を向上させることができる。
【００１３】
また、本発明の第２の態様の空気清浄装置は、通過する空気を清浄する集塵手段と、該集塵手段によって清浄された空気を室内へ吹き出す送風機と、室内の空気の清浄状態を検出する状態検出手段と、室内の空気の清浄状態を表示する表示手段と、前記状態検出手段の出力と複数の設定値とを比較する比較手段と、該比較手段の比較結果に基づいて前記表示手段の表示を複数の段階に変化させる表示制御手段を有する本体コントローラとを備えた空気清浄装置において、前記設定値は、複数の段階に設定された前記表示手段の表示を変化させるときの値であり、前記複数の設定値を変更するための設定値変更手段が設けられた外部コントローラを備え、前記本体コントローラは前記外部コントローラを接続するための接続手段と、前記設定値変更手段で変更された設定値を記憶する不揮発性記憶手段とを備え、前記比較手段は、前記不揮発性記憶手段に記憶された前記複数の設定値と前記状態検出手段の出力とを比較することを特徴とする。
【００１４】
本発明の第２の態様の空気清浄装置によれば、外部コントローラにより前記複数の設定値を変更することによって表示手段の表示を制御することができる。このため、本体コントローラに数多くのデータを記憶させる必要がなく、また、設定値を変更する手段を設ける必要がない。従って、本体コントローラの記憶手段等の大型化を防止することができる。このように、空気清浄装置が設置される環境や使用者の感覚がどのような場合であっても、外部コントローラにより使用者の要望に基づいて表示手段の表示を変更させることができるので、確実に表示手段の表示と使用者の感覚とを適合させることができる。
【００１５】
また、前記設定値変更手段は、空気清浄装置の複数の設置環境に関する環境情報を選択する情報選択手段と、該情報選択手段で選択される環境情報に対応した前記設定値が記憶された第２記憶手段と、前記情報選択手段により選択された環境情報に対応する前記第２記憶手段に記憶された設定値を表示する設定値表示手段とを備え、前記情報選択手段により選択された環境情報に対応する前記第２記憶手段に記憶された設定値を、前記接続手段を介して前記不揮発性記憶手段に記憶させるものであることが好ましい。
【００１６】
設定値変更手段をこのような構成とすることにより、外部コントローラにより使用者の要望等に合わせて設定値を変更するときは、空気清浄装置の設置環境に対応した設定値を前記第２記憶手段から呼び出して前記不揮発性記憶手段に記憶させることができる。従って、前記設定値をより設置環境に対応したものとすることができると共に、設定値の変更を容易に行うことができる。
【００１７】
前記設定値変更手段は、前記設定値表示手段に表示される設定値を修正する設定値修正手段を備え、該設定値修正手段により修正された設定値を前記接続手段を介して前記不揮発性記憶手段に記憶させるものであることが好ましい。
【００１８】
これによれば、前記第２記憶手段から呼び出した空気清浄装置の設置環境に対応した設定値を、さらに使用者の要望に応じて修正することができるので、確実に使用者の快適性を満たすことができ、あるいは表示手段の表示と使用者の感覚とを適合させることができる。
【００１９】
また、前記設定値変更手段は、前記設定値修正手段により修正された設定値を前記情報選択手段により選択された環境情報に対応する前記第２記憶手段に記憶させるか否かを選択する保存選択手段を備えたものであることが好ましい。これによれば、前記第２記憶手段に記憶されている設定値を前記設定値修正手段により実際の設置環境に即したものとすることができ、当該修正した設定値が他の使用者にも適用することが好ましい汎用的な設定値であるときは、これを保存することもできる。従って、他の使用者の設定値の調整を行う際には、当該修正された設定値を呼び出すことにより調整作業が容易となる。
【００２０】
【発明の実施の形態】
次に、本発明の空気清浄装置の実施形態の一例について、図１乃至図６を参照して説明する。図１は本実施形態の空気清浄装置に外部コントローラが接続されている状態を示す説明的部分断面図、図２は操作パネルのスイッチ等を示す説明図、図３は本体コントローラ及び外部コントローラの機能的構成を示すブロック図、図４は外部コントローラの表示画面を示す説明図、図５は空気清浄装置の運転中の作動を示すフローチャート、図６は設定値を変更する際の操作を示すフローチャートである。
【００２１】
図１を参照して、本実施形態の空気清浄装置１は、室内に配置される本体ケース２内に温風暖房機３と一体となって形成されており、温風暖房機３の上方に配設されている。また、本体ケース２に、集塵フィルタ４（集塵手段）、吸込口５、送風ファン６（送風機）、吹出口７、埃センサ８（状態検出手段）、操作パネル９、ダストサイン１０（表示手段）、本体コントローラ１１及び本体コントローラ１１に設けられた接続端子１２（接続手段）を備えている。この接続端子１２には、接続ケーブル１３を介して外部コントローラ１４が接続されている。
【００２２】
吸込口５は、本体ケース２の背面上部に設けられており、この吸込口５の全面を覆うように集塵フィルタ４が設けられている。また、埃センサ８は、吸込口５に臨む集塵フィルタ４の外側に設けられている。この埃センサ８は、通過する空気に含まれる埃等の量を検出するものであり、埃等が多ければ検出値は高くなり、埃等が少なければ検出値は低くなる。送風ファン６は、本体ケース２の内部に設けられており、その回転により吸込口５から室内の空気を吸い込んで本体ケース２の上面に設けられた吹出口７から室内に吹き出すものである。このとき、吸い込む空気に含まれる埃やタバコの煙等を埃センサ８により検出すると共に、集塵フィルタ４を通過させることにより室内の空気を清浄する。
【００２３】
ダストサイン１０は、空気清浄装置１の自動運転時には送風ファン６の回転数に応じて表示が変更されるように設定されている。具体的には、送風ファン６が強の運転のときは赤、中の運転のときは橙、弱の運転のときには緑に発光する。一方、空気清浄装置１のマニュアル運転時には後述の比較手段１９による埃センサ８の検出値と設定値との比較結果を基にして表示色が変更されるように設定されている。具体的には、埃の多い状態から順に赤、橙及び緑に発光する。
【００２４】
図１及び図２を参照して、操作パネル９は本体ケース２の上面前方に設けられており、運転スイッチ１５、風量切換スイッチ１６、運転表示ランプ１７を備えている。運転スイッチ１５は、空気清浄装置１の電源をＯＮ／ＯＦＦするものである。風量切換スイッチ１６は、マニュアル運転の場合は送風ファン６の回転数を変更するものであり、また、空気清浄装置１の運転状態、即ち自動運転かマニュアル運転かを変更するものである。この風量切換スイッチ１６を押す毎に運転表示ランプ１７が移動するようになっており、運転表示ランプ１７が自動の状態で風量切換スイッチ１６を押すと順に弱、中、及び強のマニュアル運転に変更され、さらに風量切換スイッチ１６を押すと運転表示ランプ１７が自動に戻るようになっている。
【００２５】
尚、温風暖房機３及び操作パネル９に設けられている他のスイッチは、従来のものと同様の構成であるので、詳細な説明を省略する。
【００２６】
次に、図３を参照して、本体コントローラ１１は、マイクロコンピュータ等を用いて構成されたものであり、その主要な機能的構成として、不揮発性記憶手段であるＥＥＰＲＯＭ１８、比較手段１９、送風量制御手段２０、初期値記憶手段２１、表示制御手段２２、及び接続端子１２を備えている。本体コントローラ１１は操作パネル９に、接続端子１２は接続ケーブル１３を介して外部コントローラ１４に、比較手段１９は埃センサ８に、送風量制御手段２０は送風ファン６に、表示制御手段２２はダストサイン１０にそれぞれ接続されている。
【００２７】
ＥＥＰＲＯＭ１８は、データの書き換えが可能であり、電源をＯＦＦにしてもその内容が消去されない不揮発性記憶手段であり、埃センサ８の出力と比較するための複数の設定値が記憶されている。また、空気清浄装置１の出荷時には、最も一般的な使用環境を想定した複数の設定値が記憶されている。
【００２８】
比較手段１９は、埃センサ８の出力が増加方向であるか減少方向であるかを判定する増減判定手段２３を備えており、埃センサ８の検出値とＥＥＰＲＯＭ１８に記憶されている設定値とを比較する。
【００２９】
送風量制御手段２０は、自動運転時には比較手段１９の比較結果に基づいて送風ファン６の回転数を決定し、当該回転数で送風ファン６を回転させて集塵フィルタ４を通過する空気の量を調節し、マニュアル運転時には風量切換スイッチ１６により設定された運転状態に応じた回転数で送風ファン６を回転させる。
【００３０】
初期値記憶手段２１は読み出し専用のメモリであり、空気清浄装置１の出荷時にＥＥＰＲＯＭ１８に記憶されている設定値と同じ最も一般的な使用環境を想定した設定値が記憶されている。本実施形態の空気清浄装置１では、ＥＥＰＲＯＭ１８に記憶されている設定値を変更することが可能であるが、図示しないリセットスイッチにより、初期値記憶手段２１に記憶されている設定値をＥＥＰＲＯＭ１８に記憶させ、出荷時の状態に戻すことができるようになっている。
【００３１】
表示制御手段２２は、空気清浄装置１の自動運転中は送風ファン６の回転数に応じてダストサイン１０の表示を変更させ、マニュアル運転中は比較手段１９の比較結果に基づいてダストサイン１０の表示を変更させる。
【００３２】
接続端子１２は、本体コントローラ１１と外部コントローラ１４とを接続するための端子であり、外部コントローラ１４から送信される設定値をこの接続端子１２を介してＥＥＰＲＯＭ１８に記憶させる。
【００３３】
外部コントローラ１４は、本実施形態ではパーソナルコンピュータを用いており、その画面上に設定値変更手段２４、読み出しボタン２５、送信ボタン２６（送信手段）、保存ボタン２７（保存選択手段）を備えており、設定値変更手段２４は、情報選択手段２８、第２記憶手段２９、設定値表示手段３０及び設定値修正手段３１を備えている。また、外部コントローラ１４は、本体コントローラ１１の接続端子１２と接続するための接続ケーブル１３を備えている。
【００３４】
図４は、外部コントローラ１４であるパーソナルコンピュータのディスプレイ上に表示される画面である。情報選択手段２８は、空気清浄装置１の設置環境に関する情報を選択するものであり、複数設けられている設置環境３２〜３６にそれぞれ設けられたチェック欄３７をチェックすることにより、設置環境を選択する。本実施形態では、設置環境として空気清浄装置１の全体の感度３２と、１日の喫煙量３３と、設置場所３４と、部屋の大きさ３５と、使用者のクレーム３６とを設定している。また、空気清浄装置１の全体の感度３２としては、標準、低感度、高感度の３種類を設定し、１日の喫煙量３３としては０本、５本、１０本、１５本、及び２０本以上の５種類を設定し、設置場所３４としては居間、応接間、子供部屋、寝室の４種類を設定し、部屋の大きさ３５としては、４．５畳、６畳、８畳、１０畳、及び１２畳の５種類を設定し、使用者のクレーム３６としては、騒音がうるさい、反応が遅い、冷風感がある、及びいつまでもきれいにならないの４種類を設定している。これら設置環境３２〜３６は、それぞれ設定された項目がメニューにより表示されるようになっており、例えば、感度３２の項目をマウス等（図示せず）により指定すると、標準、低感度、高感度の各項目がマウス等で選択できるようになっている。また、情報選択手段２８には、選択した情報に対応する設定値を第２記憶手段２９から読み出す決定ボタン２８ａが設けられている。
【００３５】
第２記憶手段２９は、本実施形態ではパーソナルコンピュータに内蔵されているハードディスクを用いており、空気清浄装置１の上記設置環境に対応する設定値を記憶している。
【００３６】
設定値表示手段３０は、第２記憶手段２９に記憶された設定値の内の情報選択手段２８によって選択された情報に対応する設定値を表示し、あるいは本体コントローラ１のＥＥＰＲＯＭ１８に記憶されている設定値を表示するものである。本実施形態においては、室内の埃等が増加する場合と、室内の埃等が清浄されて減少する場合とに分けて設定値を設定できるようになっている。そして、埃等が増加する場合において、運転状態を中から強に変更するときの設定値をＬ１、弱から中に変更するときの設定値をＬ２とし、埃等が減少する場合において、運転状態を強から中に変更するときの設定値をＬ３、中から弱に変更するときの設定値をＬ４としている。従って、図４において、埃センサ８の検出値が増加方向であり設定表示手段３０の設定値Ｌ１よりも高い位置では送風ファン６の回転数は強となり、設定値Ｌ１とＬ２の間であれば中、設定値Ｌ２以下であれば弱となる。
【００３７】
読み出しボタン２５は、外部コントローラ１４が接続ケーブル１３により本体コントローラ１１の接続端子１２に接続されているときに、本体コントローラ１１のＥＥＰＲＯＭ１８に記憶されている設定値を読み出して設定値表示手段３０に表示させるものである。送信ボタン２６は、設定値表示手段３０に表示されている設定値を接続ケーブル１３と接続端子１２とを介して本体コントローラ１１に設けられているＥＥＰＲＯＭ１８に送信するものである。保存ボタン２７は、設定値表示手段３０に表示されている設定値を、情報選択手段２８により選択された設置環境に対応する第２記憶手段２９に記憶させるものである。
【００３８】
設定値修正手段３１は、設定値表示手段３０に表示された設定値を個々に修正することが可能である。設定値の修正は、Ｌ１用の修正ボタン３８ａ，３８ｂ、Ｌ２用の修正ボタン３９ａ，３９ｂ、Ｌ３用の修正ボタン４０ａ，４０ｂ、Ｌ４用の修正ボタン４１ａ，４１ｂにより行う。これらの修正ボタンは、それぞれ上昇ボタンと下降ボタンとなっており、例えばＬ１の上昇ボタン３８ａを押すと、設定値表示手段３０のＬ１のラインが上昇し、Ｌ１の下降ボタン３８ｂを押すと、設定値表示手段３０のＬ１のラインが下降する。
【００３９】
次に、本実施形態の空気清浄装置１の作動について図２、３及び５を参照して説明する。ここで、使用者が運転スイッチ１５をＯＮにすると、空気清浄運転が開始される（ＳＴＥＰ１）。使用者が自動運転を希望するときは、風量切換スイッチ１６により運転表示ランプ１７を自動運転に設定する。この自動運転では、比較手段１９及び送風量制御手段２０により、埃センサ８によって検出された室内の埃等の量に応じて送風ファン６の回転数を変更させている。具体的には、比較手段１９が埃センサ８の検出値が増加方向か減少方向かを増減判定手段２３により判断し（ＳＴＥＰ２）、埃センサ８の検出値とその増減方向に対応する設定値とを比較する（ＳＴＥＰ３）。そして、自動運転に設定されている場合は（ＳＴＥＰ４においてＹＥＳ）、送風量制御手段２０が比較手段１９の比較結果から送風ファン６の回転数を決定し、この決定した回転数で送風ファン６を運転させる（ＳＴＥＰ５）。このとき、表示制御手段２２によって、ダストサイン１０の表示は送風ファン６の回転数に対応した表示となる。そして、使用者により運転スイッチ１５がＯＦＦにされるまで、空気清浄装置１の運転が続けられる（ＳＴＥＰ６においてＮＯ）。
【００４０】
この状態で室内の空気の清浄が行われ、埃の量が減少してきたときは、埃センサ８の検出値が低下する。このとき、増減判定手段２３は、埃の量が減少方向であることを判定する（ＳＴＥＰ２）。また、比較手段１９は、減少方向の設定値と埃センサ８の検出値とを比較する（ＳＴＥＰ３）。送風量制御手段２０は、この比較結果に基づいて送風ファン６の運転を制御しているので（ＳＴＥＰ５）、埃センサの検出値が設定値を越えて減少したときは、送風ファン６の回転数が低くなる。このとき、表示制御手段２２により、ダストサイン１０の表示も送風ファン６の回転数に対応して変更される。
【００４１】
本実施形態の空気清浄装置１の使用者から空気清浄装置１の作動に違和感がある等の苦情があった場合について、図４及び６を参照して説明する。このような場合は、作業者が外部コントローラ１４を持ち込んで本体コントローラ１１のＥＥＰＲＯＭ１８に記憶されている設定値の変更を行う。まず、作業者は使用者がどのような要望あるいは不満をもっているかを詳しく把握する。例えば、具体的に喫煙は１日にどれぐらいか、設置場所はどこか、部屋の大きさはどのぐらいか等を把握する。そして、外部コントローラ１４の接続ケーブル１３を本体コントローラ１１の接続端子１２に接続し（ＳＴＥＰ１１）、外部コントローラ１４に設けられている読み出しボタン２５を押すことにより、本体コントローラ１１のＥＥＰＲＯＭ１８に記憶されている現在の空気清浄装置１の設定値を呼び出す（ＳＴＥＰ１２）。作業者は、使用者の要望や不満の内容、及び現在の空気清浄装置１の設定値の状況を勘案して、これらの内容から重視すべき環境を決める。以下に、空気清浄装置１の設置場所が寝室であり、使用者が使用時の騒音を気にしていることが主な原因であると判断した場合の設定値の設定変更について説明する。
【００４２】
まず、作業者は外部コントローラ１４に設けられているマウス等（図示せず）による操作により、情報選択手段２８の設置場所３４のチェック欄３７をチェックする。そして、設置場所３４のメニューボタン３４ａを押すたびごとに、居間、応接間、子供部屋、寝室の項目が表示されるので、寝室の項目を選択する（ＳＴＥＰ１３）。
【００４３】
次に、決定ボタン２８ａを押すと、設置場所３４の項目が寝室である場合の設定値が第２記憶手段２９から呼び出され、設定値表示手段３０に表示される（ＳＴＥＰ１４）。設置場所が寝室の場合の設定値は、例えば、図４に示すように全体的に設定値のレベルを高くしており、埃等に対する感度を落としている。作業者は、当該設定値により使用者の要望を満たすことができるかを検討する。ここで、設定値の変更の必要がないと判断したときは（ＳＴＥＰ１５においてＮＯ）、送信ボタン２６を押して外部コントローラ１４から本体コントローラ１１のＥＥＰＲＯＭ１８に設定値のデータを送信する（ＳＴＥＰ１７）。これにより、設置場所が寝室である場合に使用者の要求を満たすことができる設定値がＥＥＰＲＯＭ１８に記憶される（ＳＴＥＰ１８）。第２記憶手段２９より呼び出した設定値を変更しない場合は、設定値表示手段３０に表示されている設定値を第２記憶手段２９に保存する必要はないので保存ボタン２７を押さない（ＳＴＥＰ１９においてＮＯ）。そして、次の運転からは、このＥＥＰＲＯＭ１８に記憶された設定値により空気清浄装置１の運転が行われる（ＳＴＥＰ２１）。
【００４４】
作業者が設定値の変更が必要であると判断した場合は（ＳＴＥＰ１５においてＹＥＳ）、設定値修正手段３１の修正ボタン３８〜４１を用いて設定値を変更する（ＳＴＥＰ１６）。例えば、埃等が減少する側、即ち埃センサ８の検出値の下降側のＬ４の設定値を高くするように変更するときは、設定値修正手段３１のＬ４の上昇ボタン４１ａを押す。すると、Ｌ４の表示が徐々に上昇するので、作業者は所定の高さまでＬ４の値を上昇させる。このように作業者が設定値の変更を終了したときは、送信ボタン２６を押して外部コントローラ１４から本体コントローラ１１のＥＥＰＲＯＭ１８に設定値のデータを送信する（ＳＴＥＰ１７）。これにより、設置場所が寝室であり、かつ使用者の個別の要求に対応できる設定値がＥＥＰＲＯＭ１８に記憶される（ＳＴＥＰ１８）。ここで、作業者が、設定値修正手段３１により修正した設定値が他の使用者にも適用することが好ましい汎用的なデータであり、第２記憶手段に保存する必要があると判断したときは（ＳＴＥＰ１９においてＹＥＳ）、保存ボタン２７を押すことにより当該修正したデータを第２記憶手段２９に保存する（ＳＴＥＰ２０）。この場合、設置場所が寝室である場合に対応する第２記憶手段の記憶領域に修正された設定値が保存される。そして、空気清浄装置１においては、次の運転からはＥＥＰＲＯＭ１８に記憶された設定値により空気清浄装置１の運転が行われる（ＳＴＥＰ２１）。
【００４５】
次に、図５を参照して、使用者が送風ファン６の回転数を一定にして空気清浄運転を行うマニュアル運転の作動について説明する。このマニュアル運転では、比較手段１９が埃センサ８の検出値とＥＥＰＲＯＭ１８に記憶されている複数の設定値とを比較し、表示制御手段２２が比較手段１９の比較結果に基づいてダストサイン１０の表示を変更する。本実施形態では、自動運転時の送風ファン６の回転数を変更させるための設定値と、ダストサイン１０の表示を変更させるための設定値とは同一となっている。
【００４６】
使用者が運転スイッチ１５をＯＮにすると、空気清浄運転が開始される（ＳＴＥＰ１）。使用者がマニュアル運転を希望するときは、風量切換スイッチ１６により運転表示ランプ１７を弱、中あるいは強にしてマニュアル運転に設定する。
【００４７】
このようにマニュアル運転をした場合は、表示制御手段２２により、埃センサ８によって検出された室内の埃等の量に応じてダストサイン１０の表示を変更させている。具体的には、比較手段１９が埃センサ８の検出値が増加方向か減少方向かを増減判定手段２３により判断し（ＳＴＥＰ２）、埃センサ８の検出値とその増減方向に対応する設定値とを比較する（ＳＴＥＰ３）。そして、マニュアル運転に設定されている場合は（ＳＴＥＰ４においてＮＯ）、表示制御手段２２が比較手段１９の比較結果からダストサイン１０の表示を決定し、この決定した表示でダストサイン１０の表示を行う（ＳＴＥＰ７）。そして、使用者により運転スイッチ１５がＯＦＦにされるまで、空気清浄装置１の運転が続けられる（ＳＴＥＰ６においてＮＯ）。
【００４８】
ここで、本実施形態の空気清浄装置１の使用者からダストサイン１０の表示に違和感がある等の苦情があった場合は、作業者が外部コントローラ１４を持ち込んで本体コントローラ１１のＥＥＰＲＯＭ１８に記憶されている設定値の変更を行う。この場合の設定値の変更の操作は、上記自動運転時における操作と同様となる。
【００４９】
尚、上記実施形態では、空気清浄装置１に集塵フィルタ４を用いているが、これに限らず空気中の埃等に電荷を与えて集塵する集塵手段等を用いても良い。また、状態検出手段には埃センサ８のみならず臭気を感知する臭気センサを用いても良い。
【００５０】
また、設定値変更手段２４における設定値の変更は修正ボタンにより行っているが、これに限らず、数値を直接入力したり、設定値を示すラインを直接マウス等で移動させて変更しても良い。
【図面の簡単な説明】
【図１】本実施形態の空気清浄装置に外部コントローラが接続されている状態を示す説明的断面図。
【図２】操作パネルのスイッチ等を示す説明図。
【図３】本体コントローラの及び外部コントローラの機能的構成を示すブロック図。
【図４】外部コントローラの表示画面を示す説明図。
【図５】空気清浄装置の運転中の作動を示すフローチャート。
【図６】設定値を変更する際の操作を示すフローチャート。
【符号の説明】
１…空気清浄装置、４…集塵フィルタ（集塵手段）、６…送風ファン（送風機）、８…埃センサ（状態検出手段）、１１…本体コントローラ、１４…外部コントローラ、１８…ＥＥＰＲＯＭ（不揮発性記憶手段）、１９…比較手段、２０…送風量制御手段、２４…設定値変更手段。
【図１】
0003880026.tif 000002
【図２】
0003880026.tif 000003
【図３】
0003880026.tif 000004
【図４】
0003880026.tif 000005
【図５】
0003880026.tif 000006
【図６】
0003880026.tif 000007